(57)【要約】【課題】構成が簡素であり、汎用性及び安全性が高く比較的容易に検査を実施可能な電力量計検査装置を提供する。【解決手段】設置済み電力量計１００の検査を行う電力量計検査装置１であって、差込プラグを電気的に接続可能なコンセント２３、２４とコンセント２３、２４に電気的に繋がっている雄コネクタとを有する本体１１と、本体１１の雄コネクタと電力量計１００の負荷側端子１０１とを電気的に接続可能に構成された端子接続具１２と、電力量計１００の検査時に端子接続具１２に本体１１の自重による張力が加わらないように本体１１を吊下げ可能に構成された吊下げ具１６と、を備え、本体１１は、コンセント２３、２４と雄コネクタとの配線の間に中性線欠相保護付漏電遮断器２２を備えている。【選択図】図２
2018109563.tif 000002
【特許請求の範囲】
【請求項１】
設置済み電力量計の検査を行う電力量計検査装置であって、
差込プラグを電気的に接続可能なコンセントと前記コンセントに電気的に繋がっているコネクタとを有する本体と、
前記本体の前記コネクタと前記電力量計の負荷側端子とを電気的に接続可能に構成された端子接続具と、
前記電力量計の検査時に前記端子接続具に前記本体の自重による張力が加わらないように前記本体を吊下げ可能に構成された吊下げ具と、
を備え、
前記本体は、前記コンセントと前記コネクタとの配線の間に遮断器を備えていることを特徴とする電力量計検査装置。
【請求項２】
前記吊下げ具は、被把持部を把持する把持具と、前記把持具及び前記本体に取付けられ前記本体を前記被把持部から吊下げる紐と、前記被把持部から前記本体までの前記紐の長さを調節可能な調節具とを備え、前記被把持部を前記把持具で把持した状態において、前記電力量計の検査時に前記端子接続具に前記本体の自重による張力が加わらないように前記被把持部から前記本体までの前記紐の長さを調節可能に構成されていることを特徴とする請求項１に記載の電力量計検査装置。
【請求項３】
さらに前記本体の前記コンセントに接続可能な電流測定具を備え、
前記電流測定具は、電線、前記電線の一端に設けられ前記コンセントに電気的に接続可能な差込プラグ、及び前記電線の他端に設けられたプラグ受けを有し、クランプメータによる電流測定を可能とするループ部を前記電線の途中に有していることを特徴とする請求項１又は２に記載の電力量計検査装置。
【請求項４】
さらに前記端子接続具を前記電力量計の前記負荷側端子と繋がっている負荷側コンセントに接続可能とするコンセント用接続具を備え、
前記コンセント用接続具は、電線、前記電線の一端に設けられ前記負荷側コンセントに電気的に接続可能な差込プラグ、及び前記電線の他端に設けられ前記端子接続具を電気的に接続可能な端子を有し、
前記端子接続具は、前記コンセント用接続具及び前記負荷側コンセントを介して前記本体の前記コネクタと前記電力量計の負荷側端子とを電気的に接続可能であることを特徴とする請求項１から３のいずれか１項に記載の電力量計検査装置。
【請求項５】
前記本体は、複数の前記コンセントを備え、
複数の前記コンセントは、それぞれ、互いに異なる種類の差込プラグを接続可能に構成されていることを特徴とする請求項１から４のいずれか１項に記載の電力量計検査装置。
【発明の詳細な説明】
【技術分野】
【０００１】
本発明は、設置済み電力量計の動作確認及び簡易的な検査を行う電力量計検査装置に関する。
【背景技術】
【０００２】
家屋等に設置済みの電力量計の計器不良が疑われる場合、電力量計の負荷側端子に適宜、検査装置等を接続して電力量計の動作確認及び簡易的な検査を行っている。このような電力量計の検査装置は、専用の検査装置であり生産量が少なく入手性が低い。また従来の検査装置による検査では、ストップウォッチや計器定数の変換計算用の電卓を別途、持参する必要があった。
【０００３】
また電力量計の設置に伴う配線方式、電圧、相回転、動作確認等の一連の検査を一回の操作で実施可能な電力量計検査装置が本件出願人によって既に出願されている（特許文献１参照）。該電力量計検査装置は、電力量計の端子の配列及びピッチに合わせて端子が配列されており、電力量計の端子部分に差し込むだけで検査を実施可能に構成されている。
【先行技術文献】
【特許文献】
【０００４】
【特許文献１】特開２００７−２９２５８１号公報
【発明の概要】
【発明が解決しようとする課題】
【０００５】
特許文献１に記載の電力量計検査装置によれば、電力量計の検査時にストップウォッチや計器定数の変換計算用の電卓を別途用意する必要がない。また電力量計の端子部分に差し込むだけで検査を行うことが可能であり、誤接続を確実に防止することができる。
【０００６】
しかしながら特許文献１に記載の電力量計検査装置は、各電力量計の端子の配列及びピッチに応じて専用の検査装置となり、入手性及び汎用性の点で課題を残している。ストップウォッチや計器定数の変換計算用の電卓を別途用意する必要はないが、端子の配列及びピッチが異なる電力量計の数に応じて複数の検査装置を用意する必要がある。
【０００７】
また従来の検査装置及び特許文献１に記載の電力量計検査装置では、短絡や漏電等の発生時に感電等による被害を負う恐れがある。
【０００８】
本発明の目的は、構成が簡素であり、汎用性及び安全性が高く比較的容易に検査を実施可能な電力量計検査装置を提供することである。
【課題を解決するための手段】
【０００９】
本発明は、設置済み電力量計の検査を行う電力量計検査装置であって、差込プラグを電気的に接続可能なコンセントと前記コンセントに電気的に繋がっているコネクタとを有する本体と、前記本体の前記コネクタと前記電力量計の負荷側端子とを電気的に接続可能に構成された端子接続具と、前記電力量計の検査時に前記端子接続具に前記本体の自重による張力が加わらないように前記本体を吊下げ可能に構成された吊下げ具と、を備え、前記本体は、前記コンセントと前記コネクタとの配線の間に遮断器を備えていることを特徴とする電力量計検査装置である。
【００１０】
また本発明の電力量計検査装置において、前記吊下げ具は、被把持部を把持する把持具と、前記把持具及び前記本体に取付けられ前記本体を前記被把持部から吊下げる紐と、前記被把持部から前記本体までの前記紐の長さを調節可能な調節具とを備え、前記被把持部を前記把持具で把持した状態において、前記電力量計の検査時に前記端子接続具に前記本体の自重による張力が加わらないように前記被把持部から前記本体までの前記紐の長さを調節可能に構成されていることを特徴とする。
【００１１】
また本発明の電力量計検査装置は、さらに前記本体の前記コンセントに接続可能な電流測定具を備え、前記電流測定具は、電線、前記電線の一端に設けられ前記コンセントに電気的に接続可能な差込プラグ、及び前記電線の他端に設けられたプラグ受けを有し、クランプメータによる電流測定を可能とするループ部を前記電線の途中に有していることを特徴とする。
【００１２】
また本発明の電力量計検査装置は、さらに前記端子接続具を前記電力量計の前記負荷側端子と繋がっている負荷側コンセントに接続可能とするコンセント用接続具を備え、前記コンセント用接続具は、電線、前記電線の一端に設けられ前記負荷側コンセントに電気的に接続可能な差込プラグ、及び前記電線の他端に設けられ前記端子接続具を電気的に接続可能な端子を有し、前記端子接続具は、前記コンセント用接続具及び前記負荷側コンセントを介して前記本体の前記コネクタと前記電力量計の負荷側端子とを電気的に接続可能であることを特徴とする。
【００１３】
また本発明の電力量計検査装置において、前記本体は、複数の前記コンセントを備え、複数の前記コンセントは、それぞれ、互いに異なる種類の差込プラグを接続可能に構成されていることを特徴とする。
【発明の効果】
【００１４】
本発明の電力量計検査装置によれば、構成が簡素であるとともに、電力量計の動作確認及び簡易検査に特殊な計測機器が不要である。また端子配列やピッチのみならず定格の異なる複数の電力量計の動作確認及び簡易検査に適用可能であり、汎用性が高い。さらに本体が漏電遮断器を備えているので、短絡による過電流や漏電による被害を抑制可能であり、安全性が高い。
【図面の簡単な説明】
【００１５】
【図１】本発明の第１実施形態の電力量計検査装置１の本体１１及び端子接続具１２、１３の斜視図である。
【図２】電力量計１００に接続した状態の本発明の第１実施形態の電力量計検査装置１の一部を示す正面図である。
【図３】本発明の第１実施形態の電力量計検査装置１にドライヤ１１０を接続した状態を示す正面図である。
【図４】本発明の第１実施形態の電力量計検査装置１の電流測定具１４の側面図である。
【図５】本発明の第２実施形態の電力量計検査装置２にドライヤ１１０を接続した状態を示す正面図である。
【図６】本発明の第３実施形態の電力量計検査装置３にドライヤ１１０を接続した状態を示す正面図である。
【発明を実施するための形態】
【００１６】
図１は、本発明の第１実施形態の電力量計検査装置１の本体１１及び端子接続具１２、１３の斜視図である。図２は、電力量計１００に接続した状態の本発明の第１実施形態の電力量計検査装置１の一部を示す正面図である。図３は、本発明の第１実施形態の電力量計検査装置１にドライヤ１１０を接続した状態を示す正面図である。図４は、本発明の第１実施形態の電力量計検査装置１の電流測定具１４の側面図である。なお図１では、吊下げ具１６を省略している。
【００１７】
本実施形態の電力量計検査装置１は、電力量計１００にドライヤ１１０等の任意の負荷（電気機器）を接続可能とする本体１１と、電力量計１００の負荷側端子１０１と本体１１とを接続する端子接続具１２、１３と、電流測定用のループ部５４、５５を有し任意の負荷と本体１１とを接続する電流測定具１４と、ループ部５４、５５を介して電流測定具１４に流れる電流を測定するクランプメータ１５と、本体１１を電力量計１００等に吊下げる吊下げ具１６とを備え、本電力量計検査装置１を介して任意の負荷を電力量計１００に接続し作動させることで電力量計１００の動作確認を行うとともに、電力量計１００によって計測された消費電力量と電流測定具１４に流れる電流の測定値に基づく消費電力（量）とを照合することで電力量計１００の簡易検査を行う。なお本説明において、接続は、基本的に電気的な接続を意味する。
【００１８】
本体１１は、直方体の筐体２１と、筐体２１の正面に配設された中性線欠相保護付漏電遮断器２２、１００Ｖ用コンセント２３及び２００Ｖ用コンセント２４と、筐体２１の上面に配設され端子接続具１２、１３を接続する雄コネクタ２５とを備える。中性線欠相保護付漏電遮断器２２、１００Ｖ用コンセント２３、２００Ｖ用コンセント２４及び雄コネクタ２５は、図１に想像線で示すように、筐体２１の内部で配線２７を介して互いに接続されている。
【００１９】
中性線欠相保護付漏電遮断器２２は、単相三線用の中性線欠相保護付漏電遮断器であり、電源側（図１の上側）に雄コネクタ２５が配線２７を介して接続され、負荷側（図１の下側）に１００Ｖ用コンセント２３、２００Ｖ用コンセント２４が配線２７を介して接続されている。なお中性線欠相保護付漏電遮断器２２に代えて、例えば、配線用遮断器等を用いてもよいが、安全性を考慮すると漏電遮断器を用いることが好ましく、また、仮に端子接続具１２を誤接続し、２００Ｖを印加した場合でも瞬時遮断動作する中性線欠相保護付遮断器を用いることがより好ましい。
【００２０】
１００Ｖ用コンセント２３及び２００Ｖ用コンセント２４は、それぞれ、公知の単相１００Ｖ用コンセント、単相２００Ｖ用コンセントであり、それぞれ、中性線欠相保護付漏電遮断器２２を介して１００Ｖ、２００Ｖの電圧が印加されるように配線されている。
【００２１】
雄コネクタ２５は、３つの端子２８ａ、２８ｂ、２８ｃを有し、後述する端子接続具１２、１３の雌コネクタ４２、４３を着脱可能なコネクタである。雄コネクタ２５の形状は、特定の形状に限定されるものではないが、図１に示すように台形とすることで雌コネクタ４２、４３を一方向のみ接続可能となり逆接続を防止可能となる。また雄コネクタ２５及び端子接続具１２、１３の雌コネクタ４２、４３に互いの接続可能な向きを規制する突起や溝（図示省略）等を設けてもよい。
【００２２】
端子接続具１２、１３は、それぞれ、１００Ｖ用、２００Ｖ用であり、電線４１の一端（図１の下端）に雌コネクタ４２、４３、他端（図１の上端）に導電クリップ４４を有している。１００Ｖ用の端子接続具１２は、雌コネクタ４２の端子４５ｂ、４５ｃが本体１１の雄コネクタ２５の端子２８ｂ、２８ｃ（図１の中央及び右側）に接続されるように構成されている。２００Ｖ用の端子接続具１３は、雌コネクタ４３の端子４５ａ、４５ｃが本体１１の雄コネクタ２５の端子２８ａ、２８ｃ（図１の左側及び右側）に接続されるように構成されている。
【００２３】
導電クリップ４４は、いわゆるワニ口クリップであるが、これに限定されるものではなく、導電性を有し電力量計１００の負荷側端子１０１に着脱可能であればよい。１００Ｖ用の端子接続具１２と２００Ｖ用の端子接続具１３とは、互いに識別可能に互いに色の組合せの異なる導電クリップ４４を用いている。但し１００Ｖ用の端子接続具１２と２００Ｖ用の端子接続具１３との識別を別の方法、例えば、テープ等で行う場合には、導電クリップ４４の色は変えなくてもよい。
【００２４】
電流測定具１４は、電線５１の一端（図３、図４の上端）に差込プラグ５２、他端（図３、図４の下端）にプラグ受け５３を有しており、クランプメータ１５による電流測定用のループ部５４、５５を２本の電線５１の途中にそれぞれ１箇所ずつ有している。なお図３、図４に示す電流測定具１４は、１００Ｖ用である。２００Ｖ用の電流測定具（図示省略）は、１００Ｖ用の電流測定具１４の差込プラグ５２及びプラグ受け５３を２００Ｖ用のものに代替して構成される。
【００２５】
差込プラグ５２は、基本的に本体１１の１００Ｖ用コンセント２３に接続され、プラグ受け５３は、基本的にドライヤ１１０等の任意の負荷に接続される。
【００２６】
クランプメータ１５は、電流測定用の公知のクランプメータであり、電流測定具１４のループ部５４、５５の一方を測定部６１に挿通させてループ部５４、５５を流れる電流を測定する。
【００２７】
吊下げ具１６は、本体１１の筐体２１の正面の左右上部からそれぞれ背面に貫通する２つの貫通孔２９に挿通される輪状の紐３１と、紐３１を介して本体１１を吊下げる洗濯バサミ様の把持具３２と、紐３１における本体１１を吊下げる部分の長さを調節する３つの調節具３３とを備える。
【００２８】
把持具３２は、少なくとも、電力量計１００本体を収容するケース１０２を含む電力量計１００の一部を把持可能であるとともに、電力量計１００の一部を把持した状態で紐３１を介して本体１１を吊下げ可能に構成されていればよく、特定の構成に限定されるものではない。但し把持具３２は、電力量計１００の一部を把持した状態で紐３１を介して本体１１を吊下げたときに、本体１１の重みで電力量計１００から脱落しない把持力が必要である。
【００２９】
また電力量計１００から脱落しないことを前提とし、把持具３２に代えて、例えば、電力量計１００の一部等に吸着する吸着具（図示省略）や電力量計１００の一部等に掛止する掛止具（図示省略）等を用いて本体１１を吊下げるようにしてもよい。
【００３０】
調節具３３は、指でつまんだ状態で紐３１上をスライド可能に構成された、いわゆるコードストッパーである。調節具３３は、これに限定されるものではなく、紐３１上で容易に移動及び固定が可能な任意の構成のものを用いることができる。また調節具３３の数は、１つ、２つ又は４つ以上でもよい。さらに調節具３３を用いることなく、紐３１上の任意の位置に結び目を設けることで紐３１における本体１１を吊下げる部分の長さを調節してもよい。
【００３１】
次に、本実施形態の電力量計検査装置１による電力量計１００の動作確認及び簡易検査方法を説明する。まず、本体１１の中性線欠相保護付漏電遮断器２２をオフ状態とし、雄コネクタ２５に端子接続具１２を接続する。本説明では１００Ｖ用の端子接続具１２を使用するが、端子接続具１２、１３は、検査を行う電力量計１００の定格電圧に応じて適宜、使い分ければよい。
【００３２】
次に、電力量計１００のケース１０２の前面側（図示省略）を外し、本体１１の落下を吊下げ具１６の紐３１及び把持具３２によって二重に防止すべく、吊下げ具１６の把持具３２を電力量計１００のケース１０２の背面側の上縁部に取付け、吊下げ具１６の調節具３３を紐３１上でスライドさせて導電クリップ４４を電力量計１００の負荷側端子１０１に接続したときに導電クリップ４４及び把持具３２に張力が加わらないように調節し、本体１１の位置を決める。
【００３３】
本体１１の位置が決まったら、電力量計１００の負荷側端子１０１を覆っている端子カバー（図示省略）を取外した後、導電クリップ４４を電力量計１００の負荷側端子１０１に接続する。ここまでの手順を実施すると図２に示す状態となる。
【００３４】
次に、電流測定具１４の差込プラグ５２を本体１１の１００Ｖ用コンセント２３に接続し、ドライヤ１１０等の任意の負荷を電流測定具１４のプラグ受け５３に接続する。またクランプメータ１５の測定部６１を電流測定具１４の一方のループ部５４に装着する。ここまでの手順を実施すると図３に示す状態となる。このときドライヤ１１０は、適宜、図示しない棚や架台等に載置され、作業者は、クランプメータ１５のみを把持している。
【００３５】
次に、ドライヤ１１０のスイッチをオン状態にした後に、本体１１の中性線欠相保護付漏電遮断器２２をオン状態にしてドライヤ１１０を作動させ、電力量計１００の動作を確認するとともに、クランプメータ１５の電流測定値に基づく消費電力（量）と、電力量計１００が計測する消費電力量とを照合する。クランプメータ１５の電流測定値に基づく消費電力（ｋＷ）は、単相２線１００Ｖの場合、いずれか一方のループ部５４、５５の電流測定値（Ａ）×１００（Ｖ）で求められる。
【００３６】
また電力量計１００が計測する消費電力量Ｗ（ｋＷｈ）は、円盤１０３を有する誘導形電力量計１００の場合、式（１）で示される。
Ｗ＝ｒ／（ｔ×Ａ）×３６００（ｓｅｃ）・・・式（１）
ここで変数ｔは計測時間（ｓｅｃ）、変数ｒは計測時間中の円盤１０３の回転数（ｒｅｖ）、定数Ａは１ｋＷｈあたりの円盤１０３の回転数（ｒｅｖ／ｋＷｈ）である。
【００３７】
一例として、ｔ＝６０（ｓｅｃ）、Ａ＝６００（ｒｅｖ／ｋＷｈ）の場合、Ｗ＝ｒ／１０で求めることができる。作業者は、ストップウォッチやタイマー等を使用して６０秒間における円盤１０３の回転数ｒを計測し、計測した回転数ｒ／１０を計算して電力量計１００が計測した消費電力量を算出し、これをクランプメータ１５の電流測定値に基づく消費電力と照合することで電力量計１００の簡易検査を行うことができる。
【００３８】
以上のように、本実施形態の電力量計検査装置１は、構成が簡素であるとともに、電力量計１００の動作確認及び簡易検査に特殊な計測機器が不要であり、構成部材の入手性が良い。また端子配列やピッチのみならず定格の異なる複数の電力量計１００の動作確認及び簡易検査に適用可能であり、装置自体の汎用性が高い。また電流測定具１４を使用し、クランプメータ１５によって直接電流を安全に測定可能である。さらに本体１１が中性線欠相保護付漏電遮断器２２を備えているので、短絡による過電流や漏電による二次的被害を抑制可能であり、安全性が高い。
【００３９】
また吊下げ具１６によって本体１１を支持可能なので、作業者が本体１１を支持する必要がなく、作業性が向上する。さらに吊下げ具１６は、把持具３２によって電力量計１００のみならず種々の構造物に固定可能なので、汎用性が高い。また吊下げ具１６は、調節具３３によって紐３１の長さを容易に調節可能であり、使い勝手が良い。
【００４０】
図５は、本発明の第２実施形態の電力量計検査装置２にドライヤ１１０を接続した状態を示す正面図である。図１から図４に示す第１実施形態の電力量計検査装置１と同一の構成には同一の符号を付して説明を省略する。本実施形態の電力量計検査装置２は、第１実施形態の電力量計検査装置１と基本的構成は同じであるが、電流測定具１４及びクランプメータ１５に代えて、電力測定器７１を備えている。
【００４１】
電力測定器７１は、いわゆるワットアワーメーター、ワットチェッカー、ワットモニターと呼ばれる、コンセントと任意の負荷（電気機器）との間に接続して消費電力を測定可能な機器であり、１００Ｖ用コンセント２３又は２００Ｖ用コンセント２４に接続可能な差込プラグ（図示省略）と、任意の負荷を接続可能なプラグ受け（図示省略）とを備え、図５では、本体１１の１００Ｖ用コンセント２３とドライヤ１１０との間に接続されている。
【００４２】
本実施形態の電力量計検査装置２では、電力測定器７１によって測定した消費電力（量）と、電力量計１００が計測する消費電力量とを照合することで電力量計１００の動作確認及び簡易検査を実施可能であり、計器定数の変換等の複雑な計算を必要としないため、式（１）による計算も不要となり、ストップウォッチやタイマー等、電卓も不要となる。
【００４３】
図６は、本発明の第３実施形態の電力量計検査装置３にドライヤ１１０を接続した状態を示す正面図である。なお図６では、吊下げ具１６を省略している。図５に示す第２実施形態の電力量計検査装置２と同一の構成には同一の符号を付して説明を省略する。本実施形態の電力量計検査装置３は、第２実施形態の電力量計検査装置２と基本的構成は同じであるが、端子接続具１２を電力量計１００の負荷側端子１０１に繋がっている負荷側コンセント１２０に接続するコンセント用接続具８１を備えている。本実施形態の電力量計検査装置３は、負荷側コンセント１２０を介して電力量計１００の動作確認及び簡易検査を実施する。なお説明の便宜上、負荷側コンセント１２０としているが、負荷側コンセント１２０は、一般的なコンセントである。
【００４４】
コンセント用接続具８１は、電線８２の一端に差込プラグ８３、他端に端子接続具１２の導電クリップ４４を接続する端子８４を備えている。本実施形態の電力量計検査装置３における電力量計１００の動作確認及び簡易検査時には、負荷側コンセント１２０にコンセント用接続具８１の差込プラグ８３を挿し込み、導電クリップ４４で端子８４を把持する。
【００４５】
端子８４は、それぞれ基端に球形の絶縁体８５を有し、互いの絶縁体８５同士が接触した状態でそれぞれの端子８４に接続された導電クリップ４４同士が接触して短絡しないように絶縁体８５の球径が決められている（図６参照）。
【００４６】
本実施形態の電力量計検査装置３によれば、コンセント用接続具８１を用いることで、負荷側コンセント１２０を介した電力量計１００の動作確認及び簡易検査が実施可能となる。また電力量計１００の動作確認及び簡易検査を行うために現地に赴く調査員に対し、事務所等に設置されているコンセント電源を使用して検査実施方法の教育及び実施訓練を行うことも可能となる。なおコンセント用接続具８１の差込プラグ８３は、電力量計１００及び／又は負荷側コンセント１２０の定格電圧に合わせて適宜、変更可能であり、端子８４も導電クリップ４４の種類に合わせて適宜、変更可能である。
【００４７】
以上、第１から第３実施形態の電力量計検査装置１、２、３を用いて、本発明の電力量計検査装置を説明したが、本発明の電力量計検査装置は、上記実施形態に限定されるものではなく要旨を変更しない範囲で変形することができる。例えば、本体１１の筐体２１の形状は、直方体に限定されるものではない。
【００４８】
また本発明の電力量計検査装置において、実施形態を３つに分けて説明したが、実際の運用を考慮すると、電力量計検査装置として、本体１１、端子接続具１２、１３、電流測定具１４、クランプメータ１５、吊下げ具１６、電力測定器７１及びコンセント用接続具８１の一式を収納ケース（図示省略）に収納して持ち運び、動作確認及び簡易検査の対象となる電力量計に合わせて、適宜必要なものを用いて動作確認及び簡易検査を実施すればよい。また、このとき収納ケースには、適宜、ストップウォッチやドライヤ１１０等の任意の負荷、マルチタップ等を収納すればよい。
【００４９】
また本発明の電力量計検査装置は、円盤１０３を有する誘導形電力量計１００に対する動作確認及び簡易検査のみならず、他の種類の電力量計、例えば、電子式電力量計やスマートメーター等に対する動作確認及び簡易検査にも適用可能である。
【００５０】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００５１】
１、２、３  電力量計検査装置
１１  本体
１２、１３  端子接続具
１４  電流測定具
１５  クランプメータ
１６  吊下げ具
２２  中性線欠相保護付漏電遮断器
２３  １００Ｖ用コンセント
２４  ２００Ｖ用コンセント
２５  雄コネクタ
２７  配線
３１  紐
３２  把持具
３３  調節具
４２、４３  雌コネクタ
４４  導電クリップ
５１、８２  電線
５２、８３  差込プラグ
５３  プラグ受け
５４、５５  ループ部
７１  電力測定器
８１  コンセント用接続具
８４  端子
８５  絶縁体
１００  電力量計
１０１  負荷側端子
１０３  円盤
１１０  ドライヤ
１２０  負荷側コンセント
【図１】
2018109563.tif 000003
【図２】
2018109563.tif 000004
【図３】
2018109563.tif 000005
【図４】
2018109563.tif 000006
【図５】
2018109563.tif 000007
【図６】
2018109563.tif 000008